Podtech/llm-jp-corpus-v4-ja_patent huggingface dataset:
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
IL-17RA(配列番号:21)由来の少なくとも1つのエキソンおよびIL-17RC由来の少なくとも1つのエキソンを含む単離された可溶性ポリペプチド。
【請求項２】
IL-17RCのポリペプチド配列が、配列番号:2、配列番号:166、配列番号:4、および配列番号:24からなる群より選択される、請求項1記載の単離された可溶性ポリペプチド。
【請求項３】
可溶性受容体がIL-17Fに結合する、請求項1記載の単離された可溶性ポリペプチド。
【請求項４】
さらにIL-17Aに結合する、請求項3記載の単離された可溶性ポリペプチド。
【請求項５】
IL-17FおよびIL-17Aの双方に特異的に結合する、請求項1記載の単離された可溶性ポリペプチド。
【請求項６】
配列番号:175および配列番号:180からなる群より選択されるポリペプチドをさらに含む、請求項1記載の単離された可溶性ポリペプチド。
【請求項７】
IL-17RCのエキソン8〜16(配列番号:2のアミノ酸残基193〜447)およびIL-17RAの少なくとも1つのエキソンを含む単離された可溶性ポリペプチドであって、IL-17AおよびIL-17Fに特異的に結合する可溶性ポリペプチド。
【請求項８】
IL-17RAのエキソン1〜6を含む、請求項7記載の単離された可溶性ポリペプチド。
【請求項９】
配列番号:158のアミノ酸残基1〜458を含む単離された可溶性ポリペプチド。
【請求項１０】
配列番号:158を含む、請求項9記載の単離された可溶性ポリペプチド。
【請求項１１】
配列番号:158のアミノ酸残基1〜458からなる、請求項9記載の単離された可溶性ポリペプチド。
【請求項１２】
配列番号:158からなる、請求項10記載の単離された可溶性ポリペプチド。
【請求項１３】
配列番号:72および配列番号:140からなる群より選択されるアミノ酸配列を含む単離されたポリペプチド。
【請求項１４】
請求項1〜13のいずれか一項記載のポリペプチドをコードする、単離された核酸分子。
【請求項１５】
配列番号：157に示されるヌクレオチド配列を含む、請求項14記載の核酸分子。
【請求項１６】
機能的に連結された以下の要素を含む発現ベクター：
a) 転写プロモーター；
b) 請求項1〜13のいずれか一項記載のポリペプチドをコードするDNAセグメント；および
c) 転写ターミネーター。
【請求項１７】
細胞が、DNAセグメントにコードされたポリペプチドを発現する、請求項16記載の発現ベクターが導入された培養物。
【請求項１８】
以下の段階を含む、ポリペプチドを製造する方法：
a) 請求項16記載の発現ベクターが導入された細胞を培養する段階であって、DNAセグメントにコードされたポリペプチドを細胞が発現する段階；および
b) 発現されたポリペプチドを回収する段階。
【請求項１９】
コードされたポリペプチドが、配列番号：158に示されるアミノ酸配列または配列番号：158の残基1〜458を含む、請求項18記載の方法。
【請求項２０】
請求項18または19記載の方法によって製造される、単離されたポリペプチド。
【請求項２１】
ペグ化をさらに含む、請求項1〜13および20のいずれか一項記載の単離されたポリペプチド。
【請求項２２】
IL-17A誘発またはIL-17F誘発炎症を軽減するまたは阻害するための医薬の製造のための、請求項1〜13、20、および21のいずれか一項記載の可溶性ポリペプチドの使用。
【請求項２３】
哺乳動物におけるIL-17A誘発およびIL-17F誘発炎症を軽減するための医薬の製造のための、請求項1〜13、20、および21のいずれか一項記載の可溶性ポリペプチドの使用。
【請求項２４】
IL-17AまたはIL-17Fが役割を果たす炎症性疾患に罹患した哺乳動物を治療するための医薬の製造における、請求項1〜13、20、および21のいずれか一項記載の可溶性ポリペプチドを含むIL-17AまたはIL-17Fのアンタゴニストの使用。
【請求項２５】
疾患が、喘息、慢性炎症性疾患、IBS、急性炎症性疾患、多発性硬化症、関節リウマチ、および変形性関節症からなる群より選択される、請求項24記載の使用。
【請求項２６】
疾患が、炎症性腸疾患、潰瘍性大腸炎、クローン病、関節炎、アトピー性皮膚炎、または乾癬を含む慢性炎症性疾患である、請求項25記載の使用。
【請求項２７】
疾患が、内毒素血症、敗血症、毒性ショック症候群、または感染症を含む急性炎症性疾患である、請求項25記載の使用。
【請求項２８】
IL-17AおよびIL-17Fが役割を果たす炎症性疾患に罹患した哺乳動物を治療するための医薬の製造における、請求項1〜13、20、および21のいずれか一項記載の可溶性ポリペプチドを含むIL-17AおよびIL-17Fのアンタゴニストの使用。
【請求項２９】
疾患が、喘息、慢性炎症性疾患、IBS、急性炎症性疾患、多発性硬化症、関節リウマチ、および変形性関節症からなる群より選択される、請求項28記載の使用。
【請求項３０】
疾患が、炎症性腸疾患、潰瘍性大腸炎、クローン病、関節炎、アトピー性皮膚炎、または乾癬を含む慢性炎症性疾患である、請求項29記載の使用。
【請求項３１】
疾患が、内毒素血症、敗血症、毒性ショック症候群、または感染症を含む急性炎症性疾患である、請求項29記載の使用。
【請求項３２】
可溶性ポリペプチドが、請求項19記載の方法によって製造されたポリペプチドである、請求項24〜31のいずれか一項記載の使用。
【手続補正２】
【補正対象書類名】明細書
【補正対象項目名】配列表
【補正方法】変更
【補正の内容】
【配列表】
2009510093000001.app
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
インター−α−トリプシン阻害剤の重鎖と共有結合することによって架橋された高分子ヒアルロン酸（ＨＡ）と、１００ｋＤａより重い高分子、つまり腫瘍壊死因子活性化遺伝子６（ＴＳＧ−６）を含む精製組成物であって、オプションとして
ａ）Ｓｍａｄ７を含み；
ｂ）ＨＡに対するタンパク質の割合は、約１００：１未満、あるいは
ｃ）薬学的に許容される非固体製剤用、又は徐放性固体製剤用の担体を含む、
ことを特徴とする精製組成物。
【請求項２】
少なくとも１つの組成物はホモジナイズされた羊膜材料から精製され、生のヒト胎盤から得られるものではないことを特徴とする請求項１記載の精製組成物。
【請求項３】
ホモジナイズされた羊膜材料の少なくとも１つの組成物は、羊膜から抽出された、ヒト羊膜、ヒト羊膜ゼリー、ヒト羊膜間質、またはこれらの組み合わせから選択されるヒト羊膜材料から調製されることを特徴とする請求項１記載の精製組成物。
【請求項４】
前記精製組成物の材料は羊膜から得られるものではないことを特徴とする請求項１記載の精製組成物。
【請求項５】
請求項１記載の前記精製組成物の有効量を提供するステップを有することを特徴とする被験者における瘢痕形成の抑制する方法。
【請求項６】
請求項１記載の前記精製組成物の有効量を提供するステップを有することを特徴とする被験者における瘢痕形成を逆行させる方法。
【請求項７】
請求項１記載の前記精製組成物の有効量を提供するステップを有することを特徴とする被験者における血管新生を抑制する方法。
【請求項８】
請求項１記載の前記精製組成物の有効量を提供するステップを有することを特徴とする被験者における炎症を抑制又は予防する方法。
【請求項９】
組成物の少なくとも１部はホモジナイズされた羊膜材料から精製され、生のヒト胎盤から得られるものではないことを特徴とする請求項５乃至８のいずれかに記載の方法。
【請求項１０】
ホモジナイズされた羊膜材料の少なくとも１つの組成物は、羊膜から抽出された、ヒト羊膜、ヒト羊膜ゼリー、ヒト羊膜間質、又はこれらの組み合わせから選択されるヒト羊膜材料から調製されることを特徴とする請求項９記載の方法。
【請求項１１】
前記精製組成物の材料は羊膜から得られるものではないことを特徴とする請求項５乃至８記載のいずれかに記載の精製組成物。
【請求項１２】
血管新生の抑制を必要としている該被験者は、癌、または加齢黄斑変性症患者であることを特徴とする請求項７記載の方法。
【請求項１３】
該血管新生抑制組成物は、
血管形成に関与する内皮細胞のアポトーシスを引き起こす；
血管形成に関与する内皮細胞の遊走を抑制する；
血管形成に関与する内皮細胞の管腔形成を抑制する、
という性質を有することを特徴とする請求項７記載の方法。
【請求項１４】
前記ヒトは関節炎を患っている、又は少なくとも片方の目に炎症を患っていることを特徴とする請求項８記載の方法。
【請求項１５】
該炎症抑制組成物は、
炎症部位におけるマクロファージのアポトーシスを引き起こす；
炎症部位におけるプロスタグランジンＥ１に対するプロスタグランジンＤ２の比を増加させる；
炎症部位におけるＴＧＦ−β１活性を抑制する；或いは
炎症部位におけるインターフェロン−γシグナル伝達を阻害する、
という性質のうち少なくとも二つの性質を有することを特徴とする請求項８記載の方法。
【手続補正書】
【提出日】平成21年8月14日(2009.8.14)
【手続補正１】
【補正対象書類名】特許請求の範囲
【補正対象項目名】全文
【補正方法】変更
【補正の内容】
【特許請求の範囲】
【請求項１】
薬学的に許容される担体と共に、有効成分としての植物スファエランツス・インディクス（Ｓｐｈａｅｒａｎｔｈｕｓ  ｉｎｄｉｃｕｓ）の開花結実頭部の抽出物の治療有効量を含む、組成物。
【請求項２】
前記スファエランツス・インディクス（Ｓｐｈａｅｒａｎｔｈｕｓ  ｉｎｄｉｃｕｓ）の抽出物が生物活性マーカーを含む、請求項１に記載の組成物。
【請求項３】
前記スファエランツス・インディクス（Ｓｐｈａｅｒａｎｔｈｕｓ  ｉｎｄｉｃｕｓ）の抽出物中に含まれる生物活性マーカーが、３ａ−ヒドロキシ−５ａ，９−ジメチル−３−メチレン−３ａ，４，５，５ａ，６，７，８，９ｂ−オクタヒドロ−３Ｈ−ナフト［１，２−ｂ］フラン−２−オン（化合物１）である、請求項２に記載の組成物。
【請求項４】
前記スファエランツス・インディクス（Ｓｐｈａｅｒａｎｔｈｕｓ  ｉｎｄｉｃｕｓ）の抽出物が２〜９％の前記化合物１を含む、請求項３に記載の組成物。
【請求項５】
薬学的に許容される担体と共に、有効成分としての３ａ−ヒドロキシ−５ａ，９−ジメチル−３−メチレン−３ａ，４，５，５ａ，６，７，８，９ｂ−オクタヒドロ−３Ｈ−ナフト［１，２−ｂ］フラン−２−オン（化合物１）の治療有効量を含む組成物。
【請求項６】
前記組成物が腫瘍壊死因子−α（ＴＮＦ−α）およびインターロイキン類（ＩＬ−１、ＩＬ−６、ＩＬ−８）により惹起される障害を治療するために提供される、請求項１〜５のいずれか一項に記載の組成物。
【請求項７】
前記組成物が炎症性疾患の治療に適用される、請求項１〜５のいずれか一項に記載の組成物。
【請求項８】
前記炎症性疾患がＴＮＦ−αにより惹起されるものである、請求項７に記載の組成物。
【請求項９】
前記炎症性疾患がインターロイキン類（ＩＬ−１、ＩＬ−６、ＩＬ−８）により惹起されるものである、請求項７に記載の組成物。
【請求項１０】
前記炎症性疾患が細胞間接着分子１（ＩＣＡＭ−１）、血管細胞接着分子１（ＶＣＡＭ−１）、およびＥ−セレクチンにより惹起されるものである、請求項７に記載の組成物。
【請求項１１】
前記組成物が炎症性疾患のための治療が必要な患者に対して経口的、局所的、または経皮的に投与される、請求項１〜５のいずれか一項に記載の組成物。
【請求項１２】
前記組成物が錠剤、カプセル剤またはシロップ剤の形態で経口投与のために配合される、請求項１１に記載の組成物。
【請求項１３】
前記組成物がクリーム剤、ゲル剤または軟膏剤の形態で局所投与のために配合される、請求項１１に記載の組成物。
【請求項１４】
前記炎症性疾患が炎症性腸疾患、関節リウマチ、若年性関節リウマチ、乾癬性関節炎、骨関節炎、難治性関節リウマチ、慢性非リウマチ性関節炎、骨粗鬆症／骨吸収、冠動脈心疾患、アテローム性動脈硬化症、脈管炎、潰瘍性大腸炎、乾癬、成人呼吸窮迫症候群、糖尿病、皮膚遅延型過敏障害、およびアルツハイマー病から選択される、請求項７〜１３のいずれか一項に記載の組成物。
【請求項１５】
前記炎症性疾患が関節リウマチである、請求項７〜１３のいずれか一項に記載の組成物。
【請求項１６】
前記炎症性疾患が炎症性腸疾患である、請求項７〜１３のいずれか一項に記載の組成物。
【請求項１７】
前記炎症性疾患が潰瘍性大腸炎である、請求項７〜１３のいずれか一項に記載の組成物。
【請求項１８】
前記炎症性疾患がアテローム性動脈硬化症である、請求項７〜１３のいずれか一項に記載の組成物。
【請求項１９】
炎症性疾患の治療が必要な患者に対して請求項１〜５のいずれか一項に記載の組成物の治療有効量を投与することを含む、炎症性疾患を治療するための方法。
【請求項２０】
前記組成物が経口投与のために配合される、請求項１９に記載の方法。
【請求項２１】
前記組成物が局所投与のために配合される、請求項１９に記載の方法。
【請求項２２】
前記組成物が経皮投与のために配合される、請求項１９に記載の方法。
【請求項２３】
前記炎症性疾患が炎症性腸疾患、関節リウマチ、若年性関節リウマチ、乾癬性関節炎、骨関節炎、難治性関節リウマチ、慢性非リウマチ性関節炎、骨粗鬆症／骨吸収、冠動脈心疾患、アテローム性動脈硬化症、脈管炎、潰瘍性大腸炎、乾癬、成人呼吸窮迫症候群、糖尿病、皮膚遅延型過敏障害、およびアルツハイマー病から選択される、請求項１９に記載の方法。
【請求項２４】
前記炎症性疾患が関節リウマチである、請求項１９に記載の方法。
【請求項２５】
前記炎症性疾患が炎症性腸疾患である、請求項１９に記載の方法。
【請求項２６】
前記炎症性疾患が潰瘍性大腸炎である、請求項１９に記載の方法。
【請求項２７】
前記炎症性疾患がアテローム性動脈硬化症である、請求項１９に記載の方法。
【請求項２８】
少なくとも１種の抗炎症薬をさらに含む、請求項１〜５のいずれか一項に記載の組成物。
【請求項２９】
前記抗炎症薬がプレドニゾロン、ヒドロコルチゾン、メトレキセート、スルファサラジン、ナプロキセン、ジクロフェナク、イブプロフェンから選択される、請求項２８に記載の組成物。
【請求項３０】
炎症性疾患を治療するための医薬品を生産するための、請求項１〜５のいずれか一項に記載の組成物の使用。
【請求項３１】
前記炎症性疾患が炎症性腸疾患、関節リウマチ、若年性関節リウマチ、乾癬性関節炎、骨関節炎、難治性関節リウマチ、慢性非リウマチ性関節炎、骨粗鬆症／骨吸収、冠動脈心疾患、アテローム性動脈硬化症、脈管炎、潰瘍性大腸炎、乾癬、成人呼吸窮迫症候群、糖尿病、皮膚遅延型過敏障害、およびアルツハイマー病から選択される、請求項３０に記載の組成物の使用。
【請求項３２】
前記炎症性疾患が関節リウマチである、請求項３０または３１に記載の組成物。
【請求項３３】
前記炎症性疾患が炎症性腸疾患である、請求項３０または３１に記載の組成物。
【請求項３４】
前記炎症性疾患が潰瘍性大腸炎である、請求項３０または３１に記載の組成物。
【請求項３５】
前記炎症性疾患がアテローム性動脈硬化症である、請求項３０または３１に記載の組成物。
【手続補正２】
【補正対象書類名】明細書
【補正対象項目名】００９９
【補正方法】変更
【補正の内容】
【００９９】
【表２】
2009510051.tif 000001
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
二重再取り込み阻害剤(DRI)を少なくとも一つ含み、線維筋痛症候群の長期治療を必要とする患者に少なくとも6ヶ月間投与される、線維筋痛症候群の長期治療用医薬。
【請求項２】
前記DRIがノルエピネフリン-セロトニン再取り込み阻害剤(NSRI)である、請求項1に記載の医薬。
【請求項３】
前記NSRIがミルナシプランである、請求項2に記載の医薬。
【請求項４】
前記ミルナシプランが1日当たり25mgから400mgの間の用量で投与される、請求項3に記載の医薬。
【請求項５】
前記ミルナシプランが1日当たり200mgの用量で投与される、請求項4に記載の医薬。
【請求項６】
前記ミルナシプランが1日当たり100mgの用量で投与される、請求項4に記載の医薬。
【請求項７】
(a)急性疼痛の治療のために、患者に1日当たり200mgのミルナシプランが投与されるステップ、
(b)前記急性疼痛を治療しているときに、ミルナシプランの用量が1日当たり100mgに減少されるステップ、および
(c)線維筋痛症およびその症状の長期治療のために、少なくとも3ヶ月間、患者に1日当たり100mgのミルナシプランが投与されるステップ
で、線維筋痛症およびその症状を治療するための医薬。
【請求項８】
抗うつ剤、鎮痛剤、筋弛緩剤、食欲減退薬、興奮剤、抗てんかん薬、βブロッカー、鎮静剤、睡眠薬、およびそれらの組み合わせからなる群から選択される第2の活性化合物と組み合わせた、請求項1から7のいずれか一項に記載の医薬。
【請求項９】
前記第2の活性化合物が、モダフィニル、XP13512、ガバペンチン、プレガバリン、プラミペキソール、l-DOPA、アンフェタミン、チザニジン、クロニジン、トラマドール、モルヒネ、三環系抗うつ剤、コデイン、カルバマゼピン、シブトラミン、バリウム、トラゾドン、カフェイン、ニセルゴリン、ビフェメラン、プロプラノロール、アテノロール、およびそれらの組み合わせからなる群から選択される、請求項8に記載の医薬。
【請求項１０】
二重再取り込み阻害剤(DRI)を少なくとも一つ含み、線維筋痛症候群に付随する疼痛症状の長期治療を必要とする患者に少なくとも6ヶ月間投与される、線維筋痛症候群に付随する疼痛症状の長期治療用医薬。
【請求項１１】
前記DRIがノルエピネフリン-セロトニン再取り込み阻害剤(NSRI)である、請求項10に記載の医薬。
【請求項１２】
前記NSRIがミルナシプランである、請求項11に記載の医薬。
【請求項１３】
前記ミルナシプランが1日当たり25mgから400mgの間の用量で投与される、請求項12に記載の医薬。
【請求項１４】
前記ミルナシプランが1日当たり200mgの用量で投与される、請求項13に記載の医薬。
【請求項１５】
前記ミルナシプランが1日当たり100mgの用量で投与する、請求項13に記載の医薬。
【請求項１６】
a 急性疼痛の治療のために、患者に1日当たり200mgのミルナシプランが投与されるステップ、
b 前記急性疼痛を治療しているときに、ミルナシプランの用量が1日当たり100mgに減少されるステップ、
c 線維筋痛症およびその症状の長期治療のために、少なくとも3ヶ月間、患者に1日当たり100mgのミルナシプランが投与されるステップ
で、線維筋痛症候群に付随する疼痛症状およびその症状を治療するための医薬。
【請求項１７】
抗うつ剤、鎮痛剤、筋弛緩剤、食欲減退薬、興奮剤、抗てんかん薬、βブロッカー、鎮静剤、睡眠薬、およびそれらの組み合わせからなる群から選択される第2の活性化合物と組み合わせた、請求項10から16のいずれか一項に記載の医薬。
【請求項１８】
前記第2の活性化合物が、モダフィニル、XP13512、ガバペンチン、プレガバリン、プラミペキソール、l-DOPA、アンフェタミン、チザニジン、クロニジン、トラマドール、モルヒネ、三環系抗うつ剤、コデイン、カルバマゼピン、シブトラミン、バリウム、トラゾドン、カフェイン、ニセルゴリン、ビフェメラン、プロプラノロール、アテノロール、およびそれらの組み合わせからなる群から選択される、請求項19に記載の医薬。
【手続補正書】
【提出日】平成21年9月10日(2009.9.10)
【手続補正１】
【補正対象書類名】明細書
【補正対象項目名】００５２
【補正方法】変更
【補正の内容】
【００５２】
製薬業者は迅速な加工時間および経費の利点のために、湿式または乾式造粒法よりも直接圧縮技術の使用を好む。しかしながら通常直接圧縮は、薬物または活性成分が薬学的に許容される錠剤を形成するために要求される物理的特性を有するこれらの状況に限定される。しかしながら直接圧縮法を使用できる前に、多くの成分が必要な特性を有していないので、しばしば一つまたはそれより多い賦形剤を活性成分と組み合わせなければならない。製剤に添加される各賦形剤は最終製品の錠剤の大きさを増すので、製造者は、直接圧縮法の使用をしばしば圧縮錠剤あたり低用量の活性成分を含有する製剤に限定される。
【手続補正２】
【補正対象書類名】明細書
【補正対象項目名】００８６
【補正方法】変更
【補正の内容】
【００８６】
メトホルミン顆粒が湿式造粒により水またはエタノール、イソプロパノール、酢酸エチル、グリコフロール、プロピレングリコールのような有機溶媒から選択される溶媒を用いて生成される本明細書で記載されるような錠剤または医薬組成物。
メトホルミン顆粒が溶融造粒により生成される本明細書で記載されるような錠剤または医薬組成物。溶融造粒過程は「Hot-melt extrusion Technique」: A Review;Iranian Journal of Pharmaceutical Research 3:3-16(2004);Rina Chokshi et al. または総説Joerg Breitenbach 「Melt extrusion: from process to drug delivery technology」: European Journal of Pharmaceutics and Biopharmaceutics 54:107-117(2002)(双方を出典明示により本明細書の一部とする)のような多くの出版物に記載されている。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
式ＩＩ：
【化１】
2009510064.tif 000001
の化合物並びにその医薬的に許容可能な塩。
【請求項２】
結晶形である請求項１に記載の化合物。
【請求項３】
化合物  4-(5-{(1R)-1-[5-(3-クロロフェニル)イソキサゾール-3-イル]エトキシ}-4-メチル-4H-1,2,4-トリアゾール-3-イル)ピリジン塩酸塩。
【請求項４】
化合物  4-(5-{(1R)-1-[5-(3-クロロフェニル)イソキサゾール-3-イル]エトキシ}-4-メチル-4H-1,2,4-トリアゾール-3-イル)ピリジン硫酸塩。
【請求項５】
薬理学的且つ医薬的に許容可能な担体と一緒に、活性成分として請求項１〜４のいずれか1項に記載の化合物を含む医薬組成物。
【請求項６】
mGluR5受容体−媒介疾患の処置用薬剤の製造のための、請求項１〜４のいずれか1項に記載の化合物の使用。
【請求項７】
前記疾患が神経障害である、請求項６に記載の使用。
【請求項８】
前記疾患が精神疾患である、請求項６に記載の使用。
【請求項９】
前記疾患が、胃食道逆流性疾患、IBS、機能性消化不良、咳、肥満、アルツハイマー病、老年性認知症、AIDSによる認知症、パーキンソン病、筋萎縮性側索硬化症、ハンチントン舞踏病、偏頭痛、てんかん、統合失調症、うつ、不安神経症、急性不安神経症、強迫神経症、眼科疾患、たとえば網膜症、糖尿病性網膜症、緑内障、聴覚神経症、たとえば耳鳴り、化学療法による神経障害、ヘルペス後神経痛及び三叉神経痛、耐性、依存症、中毒性障害、及び欲求障害、神経発達障害、たとえば脆弱X、自閉症、精神発達遅滞、統合失調症及びダウン症、偏頭痛に関連する痛み、炎症性痛覚、神経障害性疼痛、たとえば糖尿病性神経障害、関節炎及びリウマチ性疾患、腰痛、手術後疼痛、種々の症状に伴う疼痛であって狭心症、腎性または胆石疝痛、月経、偏頭痛及び痛風などに伴うもの；卒中、頭部外傷、酸素欠乏障害及び虚血性傷害、低血糖症、循環器疾患及びてんかんのいずれか一つである、請求項６に記載の使用。
【請求項１０】
前記疾患が慢性疼痛性障害である、請求項９に記載の使用。
【請求項１１】
前記疾患が急性疼痛性障害である、請求項９に記載の使用。
【請求項１２】
前記疾患が不安神経症である、請求項９に記載の使用。
【請求項１３】
前記疾患がうつである、請求項９に記載の使用。
【請求項１４】
前記疼痛性障害が神経因性疼痛である、請求項９に記載の使用。
【請求項１５】
前記疼痛性障害が偏頭痛である、請求項９に記載の使用。
【請求項１６】
前記疼痛性障害が炎症性痛覚である、請求項９に記載の使用。
【請求項１７】
前記疾患が胃食道逆流性疾患である、請求項９に記載の使用。
【手続補正書】
【提出日】平成21年8月25日(2009.8.25)
【手続補正１】
【補正対象書類名】特許請求の範囲
【補正対象項目名】全文
【補正方法】変更
【補正の内容】
【特許請求の範囲】
【請求項１】
リシノール酸エステルオリゴマーユニットと、少なくとも１つのカルボン酸基および少なくとも１つのヒドロキシル基または１つのさらなるカルボン酸基を有する脂肪族分子のユニットとから構成される、ポリエステルまたはポリ（エステル−無水物）を含む、疎水性ポリマー組成物であって、組成物は３７℃未満の温度で液体またはペーストであり、水溶液においてゲル化する、組成物。
【請求項２】
ポリ（エステル−無水物）は、少なくとも４個の炭素原子を有するアルカン二酸モノマーユニットを含む、請求項１に記載の組成物。
【請求項３】
前記アルカン二酸モノマーユニットは、構造ＨＯＯＣ（ＣＨ２）ｘＣＯＯＨの直鎖のジカルボン酸（式中、ｘは２〜１６の整数である）、フマル酸、またはマレイン酸からなる群から選択される、請求項２に記載の組成物。
【請求項４】
前記ポリエステルまたはポリ（エステル−無水物）は、２〜６個の炭素原子を有する１つ以上のヒドロキシアルカン酸モノマーユニットを含む、請求項１に記載の組成物。
【請求項５】
ヒドロキシアルカン酸モノマーユニットは、乳酸、グリコール酸、４−ヒドロキシ酪酸、および５−ヒドロキシ吉草酸からなる群から選択される、請求項４に記載の組成物。
【請求項６】
前記リシノール酸エステルオリゴマーユニットは、エステル結合によって連結される少なくとも平均で１．５個のリシノール酸ユニットを有する、請求項１に記載の組成物。
【請求項７】
１つ以上の賦形剤をさらに含む、請求項１に記載の組成物。
【請求項８】
前記アルカン二酸はセバシン酸である、請求項３に記載の組成物。
【請求項９】
前記ポリ（エステル−無水物）は、リシノール酸エステルオリゴマーユニットとセバシン酸のモノマーユニットから構成される、請求項８に記載の組成物。
【請求項１０】
リシノール酸のモノマーユニットとセバシン酸のモノマーユニットから構成されるポリ（エステル−無水物）を含む疎水性ポリマー組成物であって、前記ポリ（エステル−無水物）における前記セバシン酸と前記リシノール酸の重量／重量の比は、３：７，２．５：７．５、および２：８からなる群から選択され、組成物は３７℃未満の温度で液体またはペーストであり、水溶液においてゲル化する、組成物。
【請求項１１】
前記セバシン酸と前記リシノール酸の重量／重量の比は３：７である、請求項１０に記載の組成物。
【請求項１２】
前記ポリ（エステル−無水物）は：
１２０℃の窒素雰囲気下で３００００Ｄａより高い分子量を有するポリセバシン酸をリシノール酸と反応させ、それによって１０００Ｄａの分子量を有するプレポリマーを得る；
前記プレポリマーを酢酸無水物と反応させ、それによって粘稠なプレポリマーを得る；そして
０．１９−０．３２ｍｍＨｇの減圧下で少なくとも４時間、前記粘稠なプレポリマーを重合し、前記ポリ（エステル−無水物）を得る、
ことによって製造される、請求項１０または１１に記載の組成物。
【請求項１３】
８時間、水溶液にさらすとゲル化挙動を示す、請求項１０〜１２のいずれかに記載の組成物。
【請求項１４】
前記ゲル化挙動は、熱分析、光学顕微鏡、低温走査電子顕微鏡、および粘度測定からなる群から選択される分析において観察される、請求項１３に記載の組成物。
【請求項１５】
前記ポリマーまたはポリ（エステル−無水物）は１００００Ｄａ以上の重量平均分子量を有する、請求項１に記載の組成物。
【請求項１６】
前記ポリマーまたはポリ（エステル−無水物）は４０以上の重合度を有する、請求項１に記載の組成物。
【請求項１７】
前記ポリマーまたはポリ（エステル−無水物）は約１２週間で生分解する、請求項１に記載の組成物。
【請求項１８】
少なくとも１つの活性薬剤をさらに含む、請求項１〜１７のいずれかに記載の組成物。
【請求項１９】
前記活性薬剤は、治療剤、診断剤、および予防薬剤からなる群から選択される、請求項１８に記載の組成物。
【請求項２０】
前記活性薬剤は、小さな薬物分子、ペプチド、タンパク質、オリゴおよびポリヌクレオチド、除草剤、および殺虫剤からなる群から選択される、請求項１９に記載の組成物。
【請求項２１】
前記活性薬剤は、鎮痛剤、局所麻酔剤、抗感染剤、抗炎症剤、抗生物質、成長ホルモン、抗ガン剤、およびそれらの混合物からなる群から選択される、請求項１９に記載の組成物。
【請求項２２】
請求項１〜１７のいずれかに記載の組成物中に薬剤を取り込むことを含む、生物活性剤、診断剤、および予防薬剤からなる群から選択される薬剤の送達のための配合物を作製する方法。
【請求項２３】
請求項１〜１７のいずれかに記載の組成物を、それを必要とする個体に投与することを含む、治療剤、診断剤、および予防薬剤からなる群から選択される薬剤の送達のための送達システムとして使用するための組成物。
【請求項２４】
組成物は注入または埋め込みによって投与される、請求項２３に記載の方法。
【請求項２５】
治療剤は抗ガン剤であり、組成物は固形腫瘍を治療するために投与される、請求項２３に記載の方法。
【請求項２６】
治療剤は抗生物質であり、組成物は骨感染を治療するために投与される、請求項２３に記載の方法。
【請求項２７】
手術シーラントとして使用するための、請求項１〜１７のいずれかに記載の組成物。
【請求項２８】
臓器間の接着を低下させるためのバリアとして使用するための、請求項１〜１７のいずれかに記載の組成物。
【請求項２９】
被覆として使用するための、請求項１〜１７のいずれかに記載の組成物。
【請求項３０】
組成物は、医療装置の被覆として適用される、請求項２９に記載の組成物。
【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
N-{[1,6-ジエチル-4-(テトラヒドロ-2H-ピラン-4-イルアミノ)-1H-ピラゾロ[3,4-b]ピリジン-5-イル]メチル}-3-メチル-5-イソオキサゾールカルボキサミド
【化１】
2009510044.tif 000001
又はその塩。
【請求項２】
請求項１に記載の化合物又はその製薬上許容される塩。
【請求項３】
N-{[1,6-ジエチル-4-(テトラヒドロ-2H-ピラン-4-イルアミノ)-1H-ピラゾロ[3,4-b]ピリジン-5-イル]メチル}-3-メチル-5-イソオキサゾールカルボキサミド。
【化２】
2009510044.tif 000002
【請求項４】
哺乳動物における治療用活性物質として使用するための、請求項１〜３のいずれか1項に記載の化合物又は塩。
【請求項５】
請求項１〜３のいずれかで定義されている式(I)で表される化合物又はその製薬上許容される塩、並びに、1種類以上の製薬上許容される担体及び/又は賦形剤を含んでいる、医薬組成物。
【請求項６】
哺乳動物における炎症性及び/若しくはアレルギー性の疾患、認知障害又は鬱病の治療及び/又は予防において使用するための、請求項５に記載の医薬組成物。
【請求項７】
哺乳動物(例えば、ヒト)に外部局所投与するのに適している、請求項５又は６に記載の医薬組成物。
【請求項８】
哺乳動物(例えば、ヒト)の皮膚に局所投与するのに適している、請求項７に記載の医薬組成物。
【請求項９】
哺乳動物(例えば、ヒト)に外部局所投与することによってそのような哺乳動物のアトピー性皮膚炎を治療及び/又は予防するためのものである、請求項７又は８に記載の医薬組成物。
【請求項１０】
請求項１で定義されている化合物又はその製薬上許容される塩がN-{[1,6-ジエチル-4-(テトラヒドロ-2H-ピラン-4-イルアミノ)-1H-ピラゾロ[3,4-b]ピリジン-5-イル]メチル}-3-メチル-5-イソオキサゾールカルボキサミドである、請求項８又は９に記載の医薬組成物。
【請求項１１】
哺乳動物における炎症性及び/又はアレルギー性の疾患を治療及び/又は予防するための医薬の製造における、請求項１〜３のいずれかで定義されている式(I)で表される化合物又はその製薬上許容される塩の使用。
【請求項１２】
前記炎症性及び/又はアレルギー性の疾患が、哺乳動物(例えば、ヒト)における炎症性及び/又はアレルギー性の皮膚疾患である、請求項１１に記載の使用。
【請求項１３】
前記炎症性及び/又はアレルギー性の疾患が、哺乳動物(例えば、ヒト)におけるアトピー性皮膚炎である、請求項１１に記載の使用。
【請求項１４】
前記炎症性及び/又はアレルギー性の疾患が、哺乳動物(例えば、ヒト)における慢性閉塞性肺疾患(COPD)、喘息、関節リューマチ、アレルギー性鼻炎、乾癬又はアトピー性皮膚炎である、請求項１１に記載の使用。
【請求項１５】
哺乳動物(例えば、ヒト)における喘息、慢性閉塞性肺疾患(COPD)、アトピー性皮膚炎、蕁麻疹、アレルギー性鼻炎、アレルギー性結膜炎、春季カタル、好酸球性肉芽腫、乾癬、関節リューマチ、敗血症性ショック、潰瘍性大腸炎、クローン病、心筋及び脳の再灌流障害、慢性糸球体腎炎、内毒素性ショック、成人呼吸窮迫症候群、多発性硬化症、認知障害、鬱病又は炎症性疼痛を治療及び/又は予防するための医薬の製造における、請求項１〜３のいずれかで定義されている式(I)で表される化合物又はその製薬上許容される塩の使用。
【手続補正書】
【提出日】平成21年5月19日(2009.5.19)
【手続補正１】
【補正対象書類名】明細書
【補正対象項目名】０１０６
【補正方法】変更
【補正の内容】
【０１０６】
(Ｃ)ＳＤＳ−ＰＡＧＥ分析
還元型および非還元型ＳＤＳ−ＰＡＧＥを、４から１２％Ｂｉｓ−Ｔｒｉｓ  ＮｕＰＡＧＥゲルを使用して行った。ゲルを、ＭＥＳランニング緩衝液で流し、Pierce gel code blueで染色した。
ＳＤＳ−ＰＡＧＥ分析は、半分の抗体のレベルにおける偏差を証明したが、明白な傾向はなく、これはアッセイの偏差内であるように思える(図１および２および表６および７参照)。２１日目に、２５℃サンプルでいくつかの付加的な小さなバンドが見られた。これらのバンドは２８日目には見られなかった。故にこれらは、本アッセイの検出限界にあるかもしれない。これらのバンドはＧＰ−ＨＰＬＣ(実施例３Ｄ参照)に見られる小さな付加的ピークと一致し得る。
元のサンプルに存在するものと長い貯蔵の結果である変化を区別することが不可能であるため、サンプルを試験の最後に流さなかった。参照標準の新たに融解したバイアルを各ゲルで流した。これは、異なる時点間で同等であり、分析が予測通り機能することを示唆した。２１日目、２５℃サンプルで見られた付加バンドは、同じゲルで流した参照標準または２から８℃サンプルでは見られなかった。明瞭にするために、図２中のすべてのバンドは円で示す。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
顆粒担体に均一に分散したメロキシカム又はその医薬上許容される塩及び小動物に好適な風味を含有する固体製剤。
【請求項２】
さらに、医薬上許容される担体及び／又は賦形剤を含有する、請求項1記載の固体製剤。
【請求項３】
担体及び／又は賦形剤が、希釈剤、崩壊剤、担体、結合剤、風味、流量調整剤、潤滑剤及び溶剤から成る群から選択されることを特徴とする、請求項1又は2記載の固体製剤。
【請求項４】
担体がグルコース、ラクトース及び微結晶性セルロースであることを特徴とする、請求項1〜3のいずれか1項記載の固体製剤。
【請求項５】
ラクトースが噴霧乾燥ラクトースであることを特徴とする、請求項1〜4のいずれか1項記載の固体製剤。
【請求項６】
メロキシカム0.5〜20mgを含有する、請求項1〜5のいずれか1項記載の固体製剤。
【請求項７】
固体製剤が錠剤または顆粒であることを特徴とする、請求項1〜6のいずれか1項記載の固体製剤。
【請求項８】
a)  メロキシカム、メグルミン、及び1又は2の好適な結合剤の水溶液を、1以上の好適な担体を含有する固体担体床に噴霧する工程、及び
b)  a)の混合物を乾燥する工程、及び
c)  b)の混合物をふるいにかけ、解凝集する工程、及び
d)  1以上の好適な風味、1以上の好適な担体及び1以上の好適な崩壊剤からなる外側の相をc)の混合物に加える工程、及び
e)  潤滑剤をd)の混合物に加える工程、及び
f)  e)の混合物を均等な顆粒に混合し、最終顆粒を得る工程、及び／又は
g)  f)の最終顆粒を固体製剤に圧縮する工程、
を含有し、固体製剤が顆粒の場合、工程g)は省略し、固体製剤が錠剤の場合、工程g)を実行する、流動床顆粒化方法。
【請求項９】
a)  メロキシカム、メグルミン、ヒドロキシプロピルセルロース及びポルビドンの水溶液を、グルコースを含有する固体支持体に噴霧する工程、及び
b)  a)の混合物を乾燥する工程、及び
c)  b)の混合物をふるいにかけ、解凝集する工程、及び
d)  1以上の好適な風味、1以上の好適な担体及び1以上の好適な崩壊剤からなる外側の相を、流量調整剤をc)の混合物に加えた混合物に加える工程、及び
e)  潤滑剤をd)の混合物に加える工程、及び
f)  e)の混合物を均等な顆粒に混合し、最終顆粒を得る工程、及び／又は
g)  f)の最終顆粒を錠剤にする工程
を含有する、請求項８記載の流動床顆粒化方法。
【請求項１０】
請求項１〜７のいずれか1項記載の固体製剤、請求項８記載の方法で得られる固体製剤、又は請求項９記載の方法で得られる錠剤が使用されることを特徴とする、疼痛、炎症又は運動障害の予防及び／又は治療のための医薬品製造方法。
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
核磁気共鳴イメージングで使用するための固体材料であって、核スピンのない母体物質内で過分極した非ゼロ核スピンを含む固体材料。
【請求項２】
前記固体材料は、約１０ｎｍと約１０μｍとの間の粒子を含む、請求項１に記載の材料。
【請求項３】
前記固体材料は液体中に浮遊している、請求項１に記載の材料。
【請求項４】
前記非ゼロ核スピンは、前記母体物質内の不純物に起因する、請求項１に記載の材料。
【請求項５】
前記非ゼロ核スピンは、前記母体物質内のドーパントに起因する、請求項１に記載の材料。
【請求項６】
前記非ゼロ核スピンは、２９Ｓｉ、１９Ｆ、１３Ｃおよび３１Ｐからなる群から選択される原子核に起因する、請求項１に記載の材料。
【請求項７】
前記非ゼロ核スピンは、２９Ｓｉに起因する、請求項１に記載の材料。
【請求項８】
前記母体物質は２８Ｓｉである、請求項７に記載の材料。
【請求項９】
前記母体物質は２８ＳｉＯ２である、請求項７に記載の材料。
【請求項１０】
前記固体材料は天然Ｓｉである、請求項７に記載の材料。
【請求項１１】
前記非ゼロ核スピンは１３Ｃに起因する、請求項１に記載の材料。
【請求項１２】
前記母体物質は１２Ｃである、請求項１１に記載の材料。
【請求項１３】
前記固体材料は天然Ｃである、請求項１１に記載の材料。
【請求項１４】
前記非ゼロ核スピンは３１Ｐに起因する、請求項１に記載の材料。
【請求項１５】
前記母体物質は２８Ｓｉである、請求項１４に記載の材料。
【請求項１６】
前記非ゼロ核スピンのスピン緩和（Ｔ１）時間は、室温において少なくとも３０分である、請求項１に記載の材料。
【請求項１７】
前記非ゼロ核スピンのスピン緩和（Ｔ１）時間は、室温において少なくとも１時間である、請求項１に記載の材料。
【請求項１８】
前記固体材料は、該固体材料の表面に生物学的材料に結合する結合材料を含む、請求項１に記載の材料。
【請求項１９】
前記過分極した材料は、血流の核磁気共鳴イメージングに使用される、請求項１に記載の材料。
【請求項２０】
前記過分極した材料は、体腔の核磁気共鳴イメージングに使用される、請求項１に記載の材料。
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
神経変性疾患の少なくとも一つの臨床症状を示す患者を治療するための薬剤であって、神経変性疾患を予防又は治療するために有効な剤形中の療法的に有効な量でエストロゲン又はエストロゲンレセプター活性剤である少なくとも一つの一次剤を含む、薬剤。
【請求項２】
該神経変性疾患がアルツハイマー病、パーキンソン病、多発性硬化症、脳卒中、筋萎縮性側索硬化症、前頭側頭型認知症、プリオン病、ハンチントン病から成る群より選択される、請求項１の薬剤。
【請求項３】
該神経変性疾患が脳虚血、突発性パーキンソン病、パーキンソン症候群、アルツハイマー病、脳認知症症候群、感染誘発神経変性障害、代謝性中毒性神経変性障害、溶剤又は医薬品により誘発される脳症、変性網膜障害、外傷的誘発脳損傷、外傷的誘発骨髄損傷、脳興奮性亢進症状、脳興奮性亢進状態、末梢神経系の神経変性症候群、末梢神経損傷及び脊髄損傷を含む群より選択される、請求項１の薬剤。
【請求項４】
該一次剤が、エストリオール、エストロン、１７−ベータ−エストラジオール、芳香化可能テストステロン、エストロゲンレセプターアルファアゴニスト及びエストロゲンレセプターベータアゴニストの群より選択される、請求項１の薬剤。
【請求項５】
該エストリオールがナイエストリオール、エストリオールスクシネート又はエストリオールスルファメート又はエストリオールジヘキサネートである、請求項１の薬剤。
【請求項６】
該一次剤がエストリオールであり、そして該療法的に有効な用量が２４時間毎に約０．００１〜約１６ミリグラムである、請求項１の薬剤。
【請求項７】
該一次剤がエストリオールであり、そして該療法的に有効な用量が２４時間毎に約８ミリグラムである、請求項１の薬剤。
【請求項８】
該一次剤がエストリオールであり、そして薬剤の使用によりミリリットル当たり約２〜約３０ナノグラムのエストリオールの患者血清濃度を生じる、請求項１の薬剤。
【請求項９】
該一次剤がエストラジオールであり、そして薬剤の使用によりミリリットル当たり約２〜約３５ナノグラムのエストラジオールの患者血清濃度を生じる、請求項１の薬剤。
【請求項１０】
一次剤がエストロンであり、そして薬剤の使用によりミリリットル当たり約２〜約１８ナノグラムのエストロンの患者血清濃度を生じる、請求項１の薬剤。
【請求項１１】
該治療で生じるエストロゲンの血清レベルが、妊娠の第２三半期の中頃から第３三半期の終わりの女性のレベルと等しい、請求項１の薬剤。
【請求項１２】
さらに、有効な剤形中に療法的に有効な用量の少なくとも一つの二次剤を含む、請求項１の薬剤。
【請求項１３】
神経変性疾患又は障害の少なくとも一つの臨床症状を示す患者を予防するか又は治療するための薬剤であって、該疾患又は障害の症状を寛解するための経口による１日あたりで８ミリグラムのエストリオールを含む、薬剤。
【請求項１４】
さらに、二次剤で患者を治療することを含む、請求項１３の薬剤。
【請求項１５】
該二次剤が、約１００〜約２００ミリグラムの１日あたりの用量のプロゲステロンである、請求項１４の薬剤。
【請求項１６】
該二次剤が、約０．３５ミリグラムの１日あたりの用量のノルエチンドロンである、請求項１４の薬剤。
【請求項１７】
神経変性疾患又は障害の少なくとも一つの臨床症状を示す患者を治療して該疾患又は障害の少なくとも一つの症状を寛解するための薬剤であって、約４〜約１６ミリグラムの１日あたりの用量のエストリオール；及び約１００〜約２００ミリグラムの１日あたりの用量のプロゲステロンを含む、薬剤。
【請求項１８】
神経変性疾患の少なくとも一つの臨床症状を示す患者を治療して該疾患を寛解するための薬剤であって、約４〜約１６ミリグラムの１日あたりの用量のエストリオール；及びグルココルチコイドを含む、薬剤。
【請求項１９】
患者を治療して神経変性疾患又は障害の症状を予防する又は寛解するための薬剤であって、有効な剤形中に療法的に有効な用量のエストロゲンレセプターベータアゴニストを含む、薬剤。
【請求項２０】
該神経変性疾患が多発性硬化症であり及びエストロゲンレセプターベータアゴニストでの治療が減少した脱髄、減少した軸索喪失、減少したニューロン異常及び減少した運動機能障害及び減少した再発の少なくとも一つを生じる、請求項１６の薬剤。
【請求項２１】
疾患が、多発性硬化症の急性フェーズ後である、請求項１７の薬剤。
【請求項２２】
さらに、有効な剤形中に療法的に有効な用量の少なくとも一つの二次剤を含む、請求項１６の薬剤。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
3-(4-アミノ-1-オキソ-1,3-ジヒドロ-イソインドール-2-イル)-ピペリジン-2,6-ジオンの治療的有効量を含む、ヒトの白血病を治療するための医薬組成物。
【請求項２】
前記白血病が、慢性リンパ球性白血病、慢性骨髄性白血病、急性リンパ芽球性白血病、急性骨髄性白血病又は急性骨髄芽球性白血病である、請求項1記載の医薬組成物。
【請求項３】
前記白血病が、従来の療法に対して再発するか、不応性であるか、又は耐性である、請求項1記載の医薬組成物。
【請求項４】
前記白血病が、慢性リンパ球性白血病である、請求項1記載の医薬組成物。
【請求項５】
前記白血病が、不応性の慢性リンパ球性白血病であるか、又は再発した慢性リンパ球性白血病である、請求項4記載の医薬組成物。
【請求項６】
3-(4-アミノ-1-オキソ-1,3-ジヒドロ-イソインドール-2-イル)-ピペリジン-2,6-ジオンの治療的有効量と第2の活性薬剤の治療的有効量とを含む、白血病を治療するための医薬組成物。
【請求項７】
前記第2の活性薬剤が、抗体、造血成長因子、サイトカイン、抗癌剤、抗生物質、cox-2阻害剤、免疫調節薬、免疫抑制薬、副腎皮質ステロイド又はその薬理学的に活性な変異体若しくは誘導体である、請求項6記載の医薬組成物。
【請求項８】
前記第2の活性薬剤が、リツキシマブである、請求項6記載の医薬組成物。
【請求項９】
前記白血病が、慢性リンパ球性白血病、慢性骨髄性白血病、急性リンパ芽球性白血病、急性骨髄性白血病又は急性骨髄芽球性白血病である、請求項8記載の医薬組成物。
【請求項１０】
前記白血病が、慢性リンパ球性白血病である、請求項8記載の医薬組成物。
【請求項１１】
前記3-(4-アミノ-1-オキソ-1,3-ジヒドロ-イソインドール-2-イル)-ピペリジン-2,6-ジオンの量が、1日単位あたり、約1〜約50mgである、請求項1〜10のいずれか1項記載の医薬組成物。
【請求項１２】
前記3-(4-アミノ-1-オキソ-1,3-ジヒドロ-イソインドール-2-イル)-ピペリジン-2,6-ジオンの量が、1日単位あたり、約5、10又は25mgである、請求項11記載の医薬組成物。
【請求項１３】
前記3-(4-アミノ-1-オキソ-1,3-ジヒドロ-イソインドール-2-イル)-ピペリジン-2,6-ジオンの量が、1日単位あたり、約1、2.5、3、4、5、6、7、8、9、10、15、20、25、30、35、40、45又は50mgである、請求項1〜10のいずれか1項記載の医薬組成物。
【請求項１４】
3-(4-アミノ-1-オキソ-1,3-ジヒドロ-イソインドール-2-イル)-ピペリジン-2,6-ジオンが、エナンチオマー的に純粋である、請求項1〜10のいずれか1項記載の医薬組成物。
【請求項１５】
3-(4-アミノ-1-オキソ-1,3-ジヒドロ-イソインドール-2-イル)-ピペリジン-2,6-ジオンが、Sエナンチオマーである、請求項14記載の医薬組成物。
【請求項１６】
3-(4-アミノ-1-オキソ-1,3-ジヒドロ-イソインドール-2-イル)-ピペリジン-2,6-ジオンが、Rエナンチオマーである、請求項14記載の医薬組成物。
【請求項１７】
3-(4-アミノ-1-オキソ-1,3-ジヒドロ-イソインドール-2-イル)-ピペリジン-2,6-ジオンが、カプセル又は錠剤の形態中に存在する、請求項1〜10のいずれか1項記載の医薬組成物。
【請求項１８】
リツキシマブが375mg/m2の量である、請求項8記載の医薬組成物。
【請求項１９】
前記第2の活性薬剤が、フルダラビンである、請求項6記載の医薬組成物。
【請求項２０】
前記白血病が、慢性リンパ球性白血病である、請求項19記載の医薬組成物。
【請求項２１】
3-(4-アミノ-1-オキソ-1,3-ジヒドロ-イソインドール-2-イル)-ピペリジン-2,6-ジオンが、経口投与用に製剤されている、請求項1記載の医薬組成物。
【請求項２２】
3-(4-アミノ-1-オキソ-1,3-ジヒドロ-イソインドール-2-イル)-ピペリジン-2,6-ジオンが、カプセルの形態で製剤されている、請求項21記載の医薬組成物。
【手続補正書】
【提出日】平成21年9月17日(2009.9.17)
【手続補正１】
【補正対象書類名】特許請求の範囲
【補正対象項目名】全文
【補正方法】変更
【補正の内容】
【特許請求の範囲】
【請求項１】
熱可塑性エラストマーおよびビス[４-(置換アミノ)-１-ピリジニウム]アルカンの群からの少なくとも１つの活性成分を含有するプラスチック組成物。
【請求項２】
請求項１に記載のプラスチック組成物の製造方法であって、活性成分および熱可塑性エラストマーからなる溶融物の押出しを含んでなる方法。
【請求項３】
請求項１に記載のプラスチック組成物を含んでなる成形品。
【手続補正２】
【補正対象書類名】明細書
【補正対象項目名】００２８
【補正方法】変更
【補正の内容】
【００２８】
また本発明は、本発明のプラスチック組成物を含む成形品を提供する。このような成形品の例は、カテーテル、ホース、ホイル、コネクター、繊維および不織布である。
さらに本発明は、本発明のプラスチック組成物の製造方法を提供する。本発明のプラスチック組成物は、好ましくは熱可塑性の加工によって製造され、さらに加工される。
さらに本発明は、カテーテル、ホース、ホイル、コネクター、繊維および不織布のための、本発明のプラスチック組成物の使用を提供する。
本発明の対象およびその好ましい態様を列挙すれば、以下の通りである：
１．熱可塑性エラストマーおよびビス[４-(置換アミノ)-１-ピリジニウム]アルカンの群からの少なくとも１つの活性成分を含有するプラスチック組成物；
２．熱可塑性エラストマーが、コポリエステル、ポリエーテルブロックアミドおよび熱可塑性ポリウレタンからなる群から選択されることを特徴とする上記１に記載のプラスチック組成物；
３．活性成分が、一般式(Ｉ)および(II)：
【化１】
2009510143.tif 000001
[式中、
Ｙは、４〜１８個の炭素原子を含むアルキレン基であり、
Ｒは、Ｃ6〜Ｃ18-アルキル、Ｃ5〜Ｃ7-シクロアルキルまたはハロゲン原子置換フェニルであり、そして
Ａは、２つの１価陰イオンまたは１つの２価陰イオンである]
で示される物質からなる群から選択されることを特徴とする上記１または２に記載のプラスチック組成物；
４．活性成分の濃度が、長期間にわたり、望ましくない微生物によるコロニー形成を抑制するかまたは有意に減少させるに十分な濃度であることを特徴とする上記１〜３のいずれかに記載のプラスチック組成物；
５．活性成分の濃度が、活性成分および熱可塑性エラストマーを基準に、０.０１〜５重量％であることを特徴とする上記１〜４のいずれかに記載のプラスチック組成物；
６．熱可塑性ポリウレタンおよびオクテニジン・２塩酸塩からなることを特徴とする上記１〜５のいずれかに記載のプラスチック組成物；
７．上記１〜６のいずれかに記載のプラスチック組成物の製造方法であって、活性成分および熱可塑性エラストマーからなる溶融物の押出しを含んでなる方法；
８．上記１〜６のいずれかに記載のプラスチック組成物を含んでなる成形品。